(57)【要約】【課題】映像・音声コンテンツ視聴チャンネルを変えることなくデータ放送コンテンツ利用チャンネルを変更可能とする。【解決手段】デジタル放送のチャンネルを選局する選局制御部１００９と、選局制御部１００９で選局されたチャンネルのデジタル放送の電波から、映像データとデータ放送データとを取得する取得部（多重分離部１００３、映像デコーダ１００４）と、取得部により取得されたデータ放送データを、チャンネルごとに蓄積するデータ放送蓄積部１００６と、取得部で取得されている映像データのチャンネルとは異なるチャンネルを含む少なくとも１つのチャンネルのデータ放送データをデータ放送蓄積部１００６より読み出し、読み出したデータ放送データと、取得部で取得されている映像データとを合成することにより、合成映像データを生成する合成部（データ放送レンダリング部１００７、映像合成部１００８）とを備える。【選択図】図１
2010206418.tif 000002
【特許請求の範囲】
【請求項１】
デジタル放送の電波を受信し、前記デジタル放送の映像データを出力するデジタル放送受信装置であって、
前記デジタル放送のチャンネルを選局する選局制御部と、
前記選局制御部で選局された前記チャンネルの前記デジタル放送の電波から、映像データとデータ放送データとを取得する取得部と、
チャンネルごとの記憶領域を有し、前記取得部により取得された前記データ放送データを、前記選局制御部で選局されたチャンネルの記憶領域に蓄積するデータ放送蓄積部と、
前記取得部で取得されている前記映像データのチャンネルとは異なるチャンネルを含む少なくとも１つのチャンネルのデータ放送データを前記データ放送蓄積部より読み出し、読み出したデータ放送データと、前記取得部で取得されている前記映像データとを合成することにより、合成映像データを生成する合成部と
を備えるデジタル放送受信装置。
【請求項２】
前記取得部は、
前記選局制御部で選局された前記チャンネルの前記デジタル放送の電波をデジタル信号に復調するフロントエンド部と、
前記デジタル信号から、符号化された映像データと、データ放送データとを分離する多重分離部と、
前記符号化された映像データを復号する映像デコーダとを含み、
前記データ放送蓄積部は、チャンネルごとの記憶領域を有し、前記多重分離部で分離された前記データ放送データを、前記選局制御部で選局されたチャンネルの記憶領域に蓄積し、
前記合成部は、
前記データ放送蓄積部に蓄積されている前記データ放送データに基づき、前記フロントエンド部で復調される前記デジタル放送の電波のチャンネルとは異なるチャンネルを含む少なくとも１つのチャンネルのデータ放送データの画像データを生成するデータ放送レンダリング部と、
前記映像デコーダが復号した前記映像データと、前記データ放送レンダリング部が生成した前記画像データとを合成することにより、合成映像データを生成する映像合成部とを備える
請求項１記載のデジタル放送受信装置。
【請求項３】
さらに、
前記選局制御部で指定された前記チャンネルの前記デジタル放送のＣＭ（Commercial Message）を検出するＣＭ検出部と、
前記ＣＭ検出部がＣＭを検出している期間は、前記選局制御部に対して、現在、前記フロントエンド部で復調している前記電波に対応するチャンネルとは異なるチャンネルを選局させる制御を行うシステム制御部とを備える
請求項２記載のデジタル放送受信装置。
【請求項４】
前記ＣＭ検出部は、前記符号化された映像データに含まれる付帯情報の変化に基づいて、ＣＭを検出する
請求項３記載のデジタル放送受信装置。
【請求項５】
前記ＣＭ検出部は、ＣＭと番組とが入れ替わるタイミングが前記符号化された映像データに含まれる付帯情報が変化する時点であることに基づいて、ＣＭを検出する
請求項３記載のデジタル放送受信装置。
【請求項６】
前記多重分離部は、前記デジタル信号から、符号化された映像データと、符号化された音声データと、データ放送データとを分離し、
前記デジタル放送受信装置は、さらに、前記符号化された音声データを復号する音声デコーダを備え、
前記ＣＭ検出部は、前記符号化された音声データに含まれる付帯情報の変化に基づいて、ＣＭを検出する
請求項３記載のデジタル放送受信装置。
【請求項７】
前記多重分離部は、前記デジタル信号から、符号化された映像データと、符号化された音声データと、データ放送データとを分離し、
前記デジタル放送受信装置は、さらに、前記符号化された音声データを復号する音声デコーダを備え、
前記ＣＭ検出部は、ＣＭと番組とが入れ替わるタイミングが前記符号化された音声データに含まれる付帯情報が変化する時点であることに基づいて、ＣＭを検出する
請求項３記載のデジタル放送受信装置。
【請求項８】
さらに、
前記データ放送蓄積部に前記データ放送データを蓄積する目的で、前記フロントエンド部または前記多重分離部を動作させることができる期間を管理する状態管理部と、
前記データ放送蓄積部に前記データ放送データを蓄積する目的で、前記フロントエンド部または前記多重分離部を動作させることができる期間において、前記選局制御部に対して、少なくとも１つのチャンネルを選局させる制御を行なうシステム制御部とを備える
請求項２記載のデジタル放送受信装置。
【請求項９】
前記状態管理部は、
前記デジタル放送受信装置の電源がオンされている期間を、前記データ放送蓄積部に前記データ放送データを蓄積する目的以外で、前記フロントエンド部または前記多重分離部を動作させることができる期間として管理し、
前記デジタル放送受信装置の電源がオフされている期間を、前記データ放送蓄積部に前記データ放送データを蓄積する目的で、前記フロントエンド部または前記多重分離部を動作させることができる期間として管理する
請求項８記載のデジタル放送受信装置。
【請求項１０】
デジタル放送の電波を受信し、前記デジタル放送の映像データを出力するデジタル放送受信装置であって、
前記デジタル放送の第１のチャンネルを選局する第１選局制御部と、
前記デジタル放送の第２のチャンネルを選局する第２選局制御部と、
前記第１選局制御部で選局された前記チャンネルの前記デジタル放送の電波を第１デジタル信号に復調する第１フロントエンド部と、
前記第２選局制御部で選局された前記チャンネルの前記デジタル放送の電波を第２デジタル信号に復調する第２フロントエンド部と、
前記第１デジタル信号から、符号化された映像データと、データ放送データとを分離する第１多重分離部と、
前記第２デジタル信号から、符号化された映像データと、データ放送データとを分離する第２多重分離部と、
前記第１多重分離部で分離された前記符号化された映像データを復号する映像デコーダと、
チャンネルごとの記憶領域を有し、前記第２多重分離部で分離された前記データ放送データを、前記第２選局制御部で選局されたチャンネルの記憶領域に蓄積するデータ放送蓄積部と、
前記データ放送蓄積部に蓄積されている前記データ放送データに基づき、前記第１フロントエンド部で復調される前記デジタル放送の電波のチャンネルとは異なるチャンネルを含む少なくとも１つのチャンネルのデータ放送データの画像データを生成するデータ放送レンダリング部と、
前記映像デコーダが復号した前記映像データと、前記データ放送レンダリング部が生成した前記画像データとを合成することにより、合成映像データを生成する映像合成部と
を備えるデジタル放送受信装置。
【請求項１１】
デジタル放送の電波を受信し、前記デジタル放送の映像データを出力するデジタル放送受信装置であって、
前記デジタル放送の第１のチャンネルを選局する第１選局制御部と、
前記デジタル放送の第２のチャンネルを選局する第２選局制御部と、
前記第１選局制御部で選局された前記チャンネルの前記デジタル放送の電波を第１デジタル信号に復調する第１フロントエンド部と、
前記第２選局制御部で選局された前記チャンネルの前記デジタル放送の電波を第２デジタル信号に復調する第２フロントエンド部と、
前記第１デジタル信号から、符号化された映像データと、データ放送データとを分離する第１多重分離部と、
前記第２デジタル信号から、符号化された映像データと、データ放送データとを分離する第２多重分離部と、
前記第１多重分離部または前記第２多重分離部で分離された前記符号化された映像データを復号する映像デコーダと、
チャンネルごとの記憶領域を有し、前記第１多重分離部で分離された前記データ放送データを、前記第１選局制御部で選局されたチャンネルの記憶領域に蓄積し、前記第２多重分離部で分離された前記データ放送データを、前記第２選局制御部で選局されたチャンネルの記憶領域に蓄積するデータ放送蓄積部と、
前記データ放送蓄積部に蓄積されている前記データ放送データに基づき、前記第１フロントエンド部または前記第２フロントエンド部で復調される前記デジタル放送の電波のチャンネルとは異なるチャンネルを含む少なくとも１つのチャンネルのデータ放送データの画像データを生成するデータ放送レンダリング部と、
前記映像デコーダが復号した前記映像データと、前記データ放送レンダリング部が生成した前記画像データとを合成することにより、合成映像データを生成する映像合成部と
を備えるデジタル放送受信装置。
【請求項１２】
前記データ放送レンダリング部は、前記データ放送蓄積部に蓄積されている前記データ放送データに基づき、複数のチャンネルのデータ放送データの画像データを生成する
請求項２、１０または１１記載のデジタル放送受信装置。
【請求項１３】
デジタル放送の電波を受信し、前記デジタル放送の映像データを出力するデジタル放送受信方法であって、
前記デジタル放送のチャンネルを選局する選局制御ステップと、
前記選局制御ステップで選局された前記チャンネルの前記デジタル放送の電波から、映像データとデータ放送データとを取得する取得ステップと、
前記取得ステップで取得された前記データ放送データを、チャンネルごとにデータ放送蓄積部に蓄積するデータ放送蓄積ステップと、
前記取得ステップで取得されている前記映像データのチャンネルとは異なるチャンネルを含む少なくとも１つのチャンネルのデータ放送データを前記データ放送蓄積部より読み出し、読み出したデータ放送データと、前記取得ステップで取得されている前記映像データとを合成することにより、合成映像データを生成する合成ステップと
を含むデジタル放送受信方法。
【発明の詳細な説明】
【技術分野】
【０００１】
本発明は、デジタル放送受信装置およびデジタル放送受信方法に関し、特に映像・音声の視聴とデータ放送の利用に関する。
【背景技術】
【０００２】
デジタル放送では、映像・音声コンテンツと共にデータ放送コンテンツの配信が行われている。デジタル放送受信装置は、このデータ放送コンテンツを展開するブラウザソフトウェア等によりレンダリングされた情報を映像・音声コンテンツと同時に利用する事ができる。
【０００３】
さて、このデータ放送コンテンツは視聴チャンネル毎に独立して配信されるものであるが、このチャンネル内の映像・音声コンテンツと関連性の低いデータ放送コンテンツが配信されている場合がある。このため、視聴している映像・音声コンテンツのチャンネルと異なるチャンネルで配信されているデータ放送コンテンツを利用したい場合がある。
【０００４】
また、視聴者が、映像・音声コンテンツを視聴中に、データ放送コンテンツの切り替りが発生した場合でも、次のデータ放送コンテンツに切り替えることなく、それまで視聴していたデータ放送コンテンツを継続して視聴することを可能にする技術が知られている（例えば、特許文献１参照）。
【０００５】
また、データ放送の蓄積に関する技術として、特許文献２のデータ放送受信装置およびチューナ制御装置も知られている。
【特許文献１】特開２００７−２０１７６６号公報
【特許文献２】特開２０００−３０８０２６号公報
【発明の開示】
【発明が解決しようとする課題】
【０００６】
しかしながら、従来のデジタル放送受信装置では、視聴中の映像・音声コンテンツと同じチャンネルで同時に配信されているデータ放送コンテンツを同一画面内に共存して利用できるよう設計されている。したがって、データ放送コンテンツ利用中に映像・音声コンテンツ視聴チャンネルを切り替えると、それまで利用していたデータ放送コンテンツの表示は中断され、利用できるデータ放送コンテンツも新しく選局されたチャンネルのものになってしまう。特許文献１および２に記載のデータ放送受信装置であっても、映像音声コンテンツのチャンネルを切り替えるとデータ放送コンテンツのチャンネルも切り替えられてしまう。このため、映像音声コンテンツのチャンネルとデータ放送コンテンツのチャンネルとを独立して切り替えることができないという課題がある。
【０００７】
本発明は、上述の課題を解決するものであり、映像・音声コンテンツ視聴チャンネルを変えることなくデータ放送コンテンツ利用チャンネルを変更したり、あるいはデータ放送コンテンツ利用チャンネルを変えることなく映像・音声コンテンツ視聴チャンネルを変更したりすることができるデジタル放送受信装置を提供することを目的とする。
【課題を解決するための手段】
【０００８】
上記目的を達成するために、本発明に係るデジタル放送受信装置は、デジタル放送の電波を受信し、前記デジタル放送の映像データを出力するデジタル放送受信装置であって、前記デジタル放送のチャンネルを選局する選局制御部と、前記選局制御部で選局された前記チャンネルの前記デジタル放送の電波から、映像データとデータ放送データとを取得する取得部と、チャンネルごとの記憶領域を有し、前記取得部により取得された前記データ放送データを、前記選局制御部で選局されたチャンネルの記憶領域に蓄積するデータ放送蓄積部と、前記取得部で取得されている前記映像データのチャンネルとは異なるチャンネルを含む少なくとも１つのチャンネルのデータ放送データを前記データ放送蓄積部より読み出し、読み出したデータ放送データと、前記取得部で取得されている前記映像データとを合成することにより、合成映像データを生成する合成部とを備える。
【０００９】
具体的には、前記取得部は、前記選局制御部で選局された前記チャンネルの前記デジタル放送の電波をデジタル信号に復調するフロントエンド部と、前記デジタル信号から、符号化された映像データと、データ放送データとを分離する多重分離部と、前記符号化された映像データを復号する映像デコーダとを含み、前記データ放送蓄積部は、チャンネルごとの記憶領域を有し、前記多重分離部で分離された前記データ放送データを、前記選局制御部で選局されたチャンネルの記憶領域に蓄積し、前記合成部は、前記データ放送蓄積部に蓄積されている前記データ放送データに基づき、前記フロントエンド部で復調される前記デジタル放送の電波のチャンネルとは異なるチャンネルを含む少なくとも１つのチャンネルのデータ放送データの画像データを生成するデータ放送レンダリング部と、前記映像デコーダが復号した前記映像データと、前記データ放送レンダリング部が生成した前記画像データとを合成することにより、合成映像データを生成する映像合成部とを備える。
【００１０】
この構成によれば、チャンネルごとにデータ放送データがデータ放送蓄積部に記憶されている。このため、所望のチャンネルのデータ放送データをデータ放送蓄積部より読み出すことができる。よって、ユーザは、視聴中の映像とは異なる、事前に蓄積されたデータ放送データを利用することができる。
【００１１】
好ましくは、上述のデジタル放送受信装置は、さらに、前記選局制御部で指定された前記チャンネルの前記デジタル放送のＣＭ（Commercial Message）を検出するＣＭ検出部と、前記ＣＭ検出部がＣＭを検出している期間は、前記選局制御部に対して、現在、前記フロントエンド部で復調している前記電波に対応するチャンネルとは異なるチャンネルを選局させる制御を行うシステム制御部とを備える。
【００１２】
ＣＭ期間に、ユーザが視聴中の映像とは異なるチャンネルを選局させることにより、視聴中の映像とは異なるチャンネルの最新のデータ放送データがデータ放送蓄積部に蓄積されることとなる。
【００１３】
さらに好ましくは、前記ＣＭ検出部は、前記符号化された映像データに含まれる付帯情報の変化に基づいて、ＣＭを検出する。
【００１４】
さらに好ましくは、前記ＣＭ検出部は、ＣＭと番組とが入れ替わるタイミングが前記符号化された映像データに含まれる付帯情報が変化する時点であることに基づいて、ＣＭを検出する。
【００１５】
さらに好ましくは、前記多重分離部は、前記デジタル信号から、符号化された映像データと、符号化された音声データと、データ放送データとを分離し、前記デジタル放送受信装置は、さらに、前記符号化された音声データを復号する音声デコーダを備え、前記ＣＭ検出部は、前記符号化された音声データに含まれる付帯情報の変化に基づいて、ＣＭを検出する。
【００１６】
さらに好ましくは、前記多重分離部は、前記デジタル信号から、符号化された映像データと、符号化された音声データと、データ放送データとを分離し、前記デジタル放送受信装置は、さらに、前記符号化された音声データを復号する音声デコーダを備え、前記ＣＭ検出部は、ＣＭと番組とが入れ替わるタイミングが前記符号化された音声データに含まれる付帯情報が変化する時点であることに基づいて、ＣＭを検出する。
【００１７】
これらの構成によれば、映像や音声の変化点に着目し、ＣＭ開始のタイミングを検出する事ができる。
【００１８】
さらに好ましくは、上述のデジタル放送受信装置は、さらに、前記データ放送蓄積部に前記データ放送データを蓄積する目的で、前記フロントエンド部または前記多重分離部を動作させることができる期間を管理する状態管理部と、前記データ放送蓄積部に前記データ放送データを蓄積する目的で、前記フロントエンド部または前記多重分離部を動作させることができる期間において、前記選局制御部に対して、少なくとも１つのチャンネルを選局させる制御を行なうシステム制御部とを備える。
【００１９】
さらに好ましくは、前記状態管理部は、前記デジタル放送受信装置の電源がオンされている期間を、前記データ放送蓄積部に前記データ放送データを蓄積する目的以外で、前記フロントエンド部または前記多重分離部を動作させることができる期間として管理し、前記デジタル放送受信装置の電源がオフされている期間を、前記データ放送蓄積部に前記データ放送データを蓄積する目的で、前記フロントエンド部または前記多重分離部を動作させることができる期間として管理する。
【００２０】
この構成によれば、本発明に係るデジタル放送受信装置は、映像・音声データを視聴する目的以外に、データ放送データのチャンネルを選局する事ができる期間を検出することができる。
【００２１】
本発明の他の局面に係るデジタル放送受信装置は、デジタル放送の電波を受信し、前記デジタル放送の映像データを出力するデジタル放送受信装置であって、前記デジタル放送の第１のチャンネルを選局する第１選局制御部と、前記デジタル放送の第２のチャンネルを選局する第２選局制御部と、前記第１選局制御部で選局された前記チャンネルの前記デジタル放送の電波を第１デジタル信号に復調する第１フロントエンド部と、前記第２選局制御部で選局された前記チャンネルの前記デジタル放送の電波を第２デジタル信号に復調する第２フロントエンド部と、前記第１デジタル信号から、符号化された映像データと、データ放送データとを分離する第１多重分離部と、前記第２デジタル信号から、符号化された映像データと、データ放送データとを分離する第２多重分離部と、前記第１多重分離部で分離された前記符号化された映像データを復号する映像デコーダと、チャンネルごとの記憶領域を有し、前記第２多重分離部で分離された前記データ放送データを、前記第２選局制御部で選局されたチャンネルの記憶領域に蓄積するデータ放送蓄積部と、前記データ放送蓄積部に蓄積されている前記データ放送データに基づき、前記第１フロントエンド部で復調される前記デジタル放送の電波のチャンネルとは異なるチャンネルを含む少なくとも１つのチャンネルのデータ放送データの画像データを生成するデータ放送レンダリング部と、前記映像デコーダが復号した前記映像データと、前記データ放送レンダリング部が生成した前記画像データとを合成することにより、合成映像データを生成する映像合成部とを備える。
【００２２】
この構成によれば、チャンネルごとにデータ放送データがデータ放送蓄積部に記憶されている。このため、所望のチャンネルのデータ放送データをデータ放送蓄積部より読み出すことができる。よって、視聴中の映像とは異なるチャンネルのデータ放送データをデータ放送レンダリング部に送り出すことができる。
【００２３】
本発明のさらに他の局面に係るデジタル放送受信装置は、デジタル放送の電波を受信し、前記デジタル放送の映像データを出力するデジタル放送受信装置であって、前記デジタル放送の第１のチャンネルを選局する第１選局制御部と、前記デジタル放送の第２のチャンネルを選局する第２選局制御部と、前記第１選局制御部で選局された前記チャンネルの前記デジタル放送の電波を第１デジタル信号に復調する第１フロントエンド部と、前記第２選局制御部で選局された前記チャンネルの前記デジタル放送の電波を第２デジタル信号に復調する第２フロントエンド部と、前記第１デジタル信号から、符号化された映像データと、データ放送データとを分離する第１多重分離部と、前記第２デジタル信号から、符号化された映像データと、データ放送データとを分離する第２多重分離部と、前記第１多重分離部または前記第２多重分離部で分離された前記符号化された映像データを復号する映像デコーダと、チャンネルごとの記憶領域を有し、前記第１多重分離部で分離された前記データ放送データを、前記第１選局制御部で選局されたチャンネルの記憶領域に蓄積し、前記第２多重分離部で分離された前記データ放送データを、前記第２選局制御部で選局されたチャンネルの記憶領域に蓄積するデータ放送蓄積部と、前記データ放送蓄積部に蓄積されている前記データ放送データに基づき、前記第１フロントエンド部または前記第２フロントエンド部で復調される前記デジタル放送の電波のチャンネルとは異なるチャンネルを含む少なくとも１つのチャンネルのデータ放送データの画像データを生成するデータ放送レンダリング部と、前記映像デコーダが復号した前記映像データと、前記データ放送レンダリング部が生成した前記画像データとを合成することにより、合成映像データを生成する映像合成部とを備える。
【００２４】
この構成によれば、チャンネルごとにデータ放送データがデータ放送蓄積部に記憶されている。このため、所望のチャンネルのデータ放送データをデータ放送蓄積部より読み出すことができる。よって、視聴中の映像とは異なるチャンネルのデータ放送データをデータ放送レンダリング部に送り出すことができる。
【００２５】
なお、本発明は、このような特徴的な処理部を備えるデジタル放送受信装置として実現することができるだけでなく、デジタル放送受信装置に含まれる特徴的な処理部をステップとするデジタル放送受信方法として実現することができる。また、デジタル放送受信方法に含まれる特徴的なステップをコンピュータに実行させるプログラムとして実現することもできる。そして、そのようなプログラムは、ＣＤ−ＲＯＭ（Compact Disc-Read Only Memory）等の記録媒体やインターネット等の通信ネットワークを介して流通させることができるのは言うまでもない。
【発明の効果】
【００２６】
本発明によると、映像・音声コンテンツ視聴チャンネルを変えることなくデータ放送コンテンツ利用チャンネルを変更したり、あるいはデータ放送コンテンツ利用チャンネルを変えることなく映像・音声コンテンツ視聴チャンネルを変更したりすることができる。
【発明を実施するための最良の形態】
【００２７】
以下、本発明を実施するための形態について図面を参照しながら説明する。なお、デジタル放送受信装置の基本的な構成や動作等については当業者には既知である。このため、その詳しい説明はここでは繰り返さない。
【００２８】
（実施の形態１）
実施の形態１では、同時に１つのチャンネルのデジタル放送を受信可能なデジタル放送受信装置について説明する。
【００２９】
デジタル放送は、チャンネル毎に独立した、映像・音声およびデータ放送で構成されている。なお、データ放送はカルーセル伝送される。
【００３０】
このデータ放送コンテンツは、ＢＭＬ（Broadcast Markup Language）などのマークアップ言語等で記載されたハイパーテキストの形式のコンテンツである。
【００３１】
データ放送コンテンツは、そのデータ放送コンテンツと同一チャンネルで配信されている映像・音声と共に利用されるように設計されている。
【００３２】
まず、実施の形態１に係るデジタル放送受信装置の機能構成について説明する。
【００３３】
例えば、実施の形態１に係るデジタル放送受信装置は、家庭用テレビ、または家庭用セットトップボックスである。なお、実施の形態１に係るデジタル放送受信装置は、携帯用テレビ、デジタル放送受信機能付きのパーソナルコンピュータ、携帯情報端末（ＰＤＡ）、および家庭用ビデオレコーダ機器に適用してもよい。
【００３４】
図１は、実施の形態１に係るデジタル放送受信装置の機能構成を示すブロック図である。
【００３５】
図１に示すデジタル放送受信装置１０００は、地上波デジタル放送あるいはＢＳ（Broadcasting Satellite）デジタル放送を受信する。デジタル放送受信装置１０００は、アンテナ１００１と、フロントエンド部１００２と、多重分離部１００３と、映像デコーダ１００４と、音声デコーダ１００５と、データ放送蓄積部１００６と、データ放送レンダリング部（ブラウザ）１００７と、映像合成部１００８と、選局制御部１００９と、ＣＭ検出部１０１０と、データ放送蓄積制御対応システム制御部１０１１と、状態管理部１０１２と、動作入力部１０１３と、映像出力部１０１４と、音声出力部１０１５とを備える。
【００３６】
アンテナ１００１は、地上波デジタル放送およびＢＳデジタル放送等の電波を受信する受信アンテナである。
【００３７】
フロントエンド部１００２は、アンテナ１００１が受信した電波から、特定の周波数帯域の電波を抽出および復調し、その電波を複数のデータが多重化されたトランスポートストリームパケットからなるトランスポートストリームに変換する。つまり、フロントエンド部１００２は、放送波の所定のチャンネルを選択し、所定のチャンネルの電波内のトランスポートストリームを抽出する。
【００３８】
多重分離部１００３は、フロントエンド部１００２により出力されたトランスポートストリームに含まれるデータを分離する。具体的には、多重分離部１００３は、各トランスポートストリームパケットに含まれる符号化された映像データ、符号化された音声データ、およびデータ放送データを分離する。
【００３９】
映像デコーダ１００４は、ＭＰＥＧ（Moving Picture Experts Group）２やＨ．２６４等に準拠して、多重分離部１００３で分離された符号化された映像データを復号し、映像データを生成する。
【００４０】
音声デコーダ１００５は、ＭＰＥＧ２−ＡＡＣ（Advanced Audio Coding）等に準拠して、多重分離部１００３で分離された符号化された音声データを復号し、音声データを生成する。
【００４１】
データ放送蓄積部１００６は、トランスポートストリームパケット内のカルーセル伝送されるデータ放送データを蓄積する。また、データ放送蓄積部１００６は、放送波のチャンネル毎に、個別にデータ放送データを蓄積する領域を有し、後述するデータ放送蓄積制御対応システム制御部１０１１からの指示により、個別のデータ放送データをデータ放送レンダリング部１００７に送出する。
【００４２】
データ放送レンダリング部１００７は、データ放送データ内の記法に基づき、データ放送蓄積部１００６より送出されたデータ放送データを解読し、データ放送データの表示用の画像データを生成する。例えば、データ放送レンダリング部１００７は、ＢＭＬ等で記述されたハイパーテキスト形式のデータ放送データを解読し、データ放送データの画像データを生成する。
【００４３】
映像合成部１００８は、映像デコーダ１００４で生成された映像データと、データ放送レンダリング部１００７で生成されたデータ放送データの画像データとを合成、またはいずれか１つのデータを選択し、合成後のデータまたは選択されたデータを映像出力部１０１４に出力する。
【００４４】
選局制御部１００９は、データ放送蓄積制御対応システム制御部１０１１より選局するチャンネルの指示を受け、フロントエンド部１００２に対して選局指示を行う。これにより、フロントエンド部１００２は、指示されたチャンネルの電波を抽出および復調し、トランスポートストリームに変換することができる。
【００４５】
ＣＭ検出部１０１０は、映像デコーダ１００４からの映像データおよび映像データに含まれる映像付帯情報、音声デコーダからの音声データおよび音声データに含まれる音声付帯情報から、映像や音声の切り替わりなどを検出し、ＣＭ開始およびＣＭ終了のタイミングを示すタイミング情報を生成する。ＣＭ検出部１０１０は、このタイミング情報をデータ放送蓄積制御対応システム制御部１０１１に通知する。例えば、２ヶ国語放送とステレオ放送との間の切り替わりや、モノラル放送とステレオ放送との間の切り替わりなどを音声付帯情報から検出することによりＣＭ開始およびＣＭ終了のタイミングを検出してもよい。また、映像付帯情報に含まれる映像アスペクト情報の変化を監視することにより、ＣＭ開始およびＣＭ終了のタイミングを検出してもよい。
【００４６】
状態管理部１０１２は、ユーザがテレビの映像・音声を視聴する目的（映像出力部１０１４および音声出力部１０１５にデータを出力する目的）以外で、データ放送蓄積制御対応システム制御部１０１１がフロントエンド部１００２および多重分離部１００３を制御できる期間（データ放送蓄積部１００６にデータ放送データを蓄積する目的でフロントエンド部１００２および多重分離部１００３を制御できる期間）を管理し、当該期間をデータ放送蓄積制御対応システム制御部１０１１に通知する。その期間、フロントエンド部１００２および多重分離部１００３は映像・音声視聴以外の目的で選局される事が可能である。例えば、ユーザ操作により、電源がＯＦＦとなっている期間であっても、各処理部は、バックグラウンドで動作可能である構成のデジタル放送受信装置１０００であれば、状態管理部１０１２は、フロントエンド部１００２および多重分離部１００３を制御可能という状態を管理し、データ放送蓄積制御対応システム制御部１０１１に通知する。なお、ユーザがテレビの映像・音声を視聴する目的には、ユーザがテレビの映像・音声を録画する目的を含んでいても良い。
【００４７】
動作入力部１０１３は、デジタル放送受信装置１０００を操作するための操作スイッチ（図示せず）などの押下情報をデータ放送蓄積制御対応システム制御部１０１１に通知する。デジタル放送受信装置１０００の操作は、操作スイッチによる操作以外にも、赤外線リモコン受光による操作指示の受け取りや、他のコントロール回路からの電気信号による操作指示の受け取りにより行われてもよい。
【００４８】
データ放送蓄積制御対応システム制御部１０１１は、動作入力部１０１３からの操作指示に基づき、テレビ視聴に係る選局制御を行う。また、データ放送蓄積制御対応システム制御部１０１１は、状態管理部１０１２およびＣＭ検出部１０１０からの情報により、フロントエンド部１００２および多重分離部１００３に対する制御可能期間を判断し、選局制御部１００９をデータ放送蓄積部１００６に対するデータ放送データ蓄積目的で制御する。また、データ放送蓄積制御対応システム制御部１０１１は、テレビ視聴時のデータ放送レンダリング部１００７の起動および終了を制御し、データ放送レンダリング部１００７で利用されるデータ放送データの送出をデータ放送蓄積部１００６に指示する。
【００４９】
映像出力部１０１４は、表示パネル等へ映像を出力する処理部である。映像出力部１０１４は、コンポーネント端子やＨＤＭＩ（High-Definition Multimedia Interface）端子等の外部出力端子、または表示パネルとの専用インターフェースにより、表示パネル等に接続される。
【００５０】
音声出力部１０１５は、スピーカー等へ音声を出力する処理部である。音声出力部１０１５は、アナログ音声出力端子、光デジタル端子、コアキシャル端子、またはＨＤＭＩ端子から音声を出力したり、内蔵アンプ回路等を経由して内蔵スピーカー装置に直接音声を出力したりする。
【００５１】
以上の構成により、デジタル放送受信装置１０００は、ＣＭ検出部１０１０および状態管理部１０１２により検出されたタイミングに各チャンネルのデータ放送を受信し、データ放送蓄積部１００６に蓄積しておく事で、ある特定のデジタル放送チャンネルを視聴している状態で、他のチャンネルで放送されていたデジタル放送データを利用する事ができる。
【００５２】
次に、デジタル放送受信装置１０００の動作を説明する。
【００５３】
図２は、データ放送データをデータ放送蓄積部１００６に蓄積する処理の流れを示すフローチャートである。
【００５４】
ここでは、受信可能なデジタル放送チャンネルがチャンネルＡ、チャンネルＢおよびチャンネルＣの３つあるとする。
【００５５】
データ放送蓄積制御対応システム制御部１０１１は、状態管理部１０１２からの情報、およびデータ放送蓄積制御対応システム制御部１０１１内部に保持した情報により、ユーザがテレビ視聴中であるか否かを判断する（Ｓ２００１）。
【００５６】
ユーザがテレビ視聴中でないと判断した場合には（Ｓ２００１でＮＯ）、デジタル放送受信装置１０００は、各チャンネルのデータ放送データを蓄積する処理を実行する（Ｓ２００３）。データ放送データ蓄積処理（Ｓ２００３）の詳細については、図３のフローチャートを参照して後述する。
【００５７】
ユーザがテレビ視聴中であると判断した場合には（Ｓ２００１でＹＥＳ）、データ放送蓄積制御対応システム制御部１０１１は、ＣＭ検出部１０１０がＣＭ期間を検出しているか否かを判断する（Ｓ２００２）。
【００５８】
ＣＭ期間であると判断した場合には（Ｓ２００２でＹＥＳ）、デジタル放送受信装置１０００は、データ放送データ蓄積処理を実行する（Ｓ２００３）。
【００５９】
ユーザがテレビ視聴中であり、ＣＭ期間でもないと判断した場合には（Ｓ２００１でＹＥＳ、Ｓ２００２でＮＯ）、Ｓ２００１以降の処理が繰り返し実行される。
【００６０】
図３は、データ放送データ蓄積処理（Ｓ２００３）の詳細を示すフローチャートである。
【００６１】
データ放送蓄積制御対応システム制御部１０１１は、データ放送データの蓄積を行うためのチャンネルの選定を行う（Ｓ７００１）。ここでは、データ放送蓄積部１００６内にデータ放送データが未蓄積のチャンネルを優先的に選定し、次に一番過去に蓄積が行われたデータ放送データのチャンネルを選定する。ここでは、チャンネルＡが選択されたものとする。
【００６２】
次に、データ放送蓄積制御対応システム制御部１０１１は、選局制御部１００９に対してチャンネルＡの選局指示を行い、データ放送蓄積部１００６に対してチャンネルＡのデータ放送データの蓄積開始を指示する。フロントエンド部１００２は、選局制御部１００９からの選局指令を受けてアンテナ１００１からの電波を受信し、復調した上で多重化トランスポートストリームを、多重分離部１００３に出力する（Ｓ７００２）。
【００６３】
多重分離部１００３は、フロントエンド部１００２からの多重化トランスポートストリームを解析し、データ放送データを含むトランスポートストリームパケットをデータ放送蓄積部１００６に送出する。データ放送蓄積部１００６は、チャンネルＡに対応したデータ放送データを蓄積する（Ｓ７００３）。
【００６４】
テレビ視聴中またはＣＭ期間中であれば（図２のＳ２００１でＮＯまたはＳ２００２でＹＥＳ）、データ放送データ蓄積処理（Ｓ２００３）が繰り返し実行される。このため、チャンネルＡのデータ放送データが蓄積された後に、データ放送蓄積制御対応システム制御部１０１１は、続いてチャンネルＢ、チャンネルＣと視聴可能かつデータ放送の配信のあるチャンネルを選択し、チャンネルを巡回させながらデータ放送データの蓄積を行う。
【００６５】
なお、ＣＭの期間は一般に数十秒程度であるため、データ放送蓄積制御対応システム制御部１０１１は、一定時間データ放送取り込みを行ったと判断したら、データ放送データの蓄積を終了し、それまで視聴していたテレビ放送の視聴に選局を切り替え、視聴が継続できるようにする。
【００６６】
次に、データ放送蓄積部１００６に蓄積されたデータ放送データを、テレビ視聴中に利用する処理について説明する。
【００６７】
図４は、データ放送蓄積部１００６に蓄積されたデータ放送データを、テレビ視聴中に利用する際の処理の流れを示すフローチャートである。
【００６８】
まず、データ放送蓄積制御対応システム制御部１０１１は、状態管理部１０１２からの情報、およびデータ放送蓄積制御対応システム制御部１０１１内部に保持した情報により、ユーザがテレビ視聴中であるか否かを判断する（Ｓ３００１）。
【００６９】
ユーザがテレビ視聴中であると判断した場合には（Ｓ３００１でＹＥＳ）、データ放送蓄積制御対応システム制御部１０１１は、動作入力部１０１３からの指示またはデータ放送蓄積制御対応システム制御部１０１１内部の状態により、データ放送を表示するか否かを判断する（Ｓ３００２）。データ放送を表示する場合（Ｓ３００２でＹＥＳ）、データ放送蓄積制御対応システム制御部１０１１は、データ放送蓄積部１００６に対して、視聴中チャンネルのデータ放送データを出力するよう指示する。例えば、図５のようにチャンネルＡの番組をユーザが視聴中に、ユーザが動作入力部１０１３からデータ放送の表示指示を行なうと、図６に示すように、チャンネルＡの番組（映像データ）と、チャンネルＡのデータ放送データとがテレビ画面上に表示される。
【００７０】
次に、データ放送蓄積制御対応システム制御部１０１１が、動作入力部１０１３より、データ放送チャンネルの変更指示を受け付けた場合（Ｓ３００３でＹＥＳ）、データ放送蓄積制御対応システム制御部１０１１は、データ放送蓄積部１００６に対して、データ放送データの出力チャンネルの変更を指示する。データ放送蓄積部１００６は、既にデータ放送蓄積部１００６に蓄積された有効なデータ放送データまたは蓄積中のデータ放送データをデータ放送レンダリング部１００７に送信する（Ｓ３００４）。これにより、データ放送の更新が行なわれる。例えば、図６に示す状態から、データ放送データの出力データをチャンネルＢに変更する指示が行なわれると、図７に示すように、チャンネルＡの番組（映像データ）と、チャンネルＢのデータ放送データとがテレビ画面上に表示されることとなる。
【００７１】
なお、本実施の形態では、視聴中の番組のチャンネルを固定し、データ放送データのチャンネルを変化させる例について説明したが、視聴中の番組のチャンネルを変化させ、データ放送データのチャンネルを固定するものであってもよい。
【００７２】
以上説明したように、本実施の形態によると、全てのチャンネルのデータ放送データをデータ放送蓄積部１００６に予め蓄積している。このため、映像・音声コンテンツ視聴チャンネルを変えることなくデータ放送コンテンツ利用チャンネルを変更したり、あるいはデータ放送コンテンツ利用チャンネルを変えることなく映像・音声コンテンツ視聴チャンネルを変更したりすることができる。
【００７３】
（実施の形態２）
次に、本発明の実施の形態２について説明する。実施の形態２に係るデジタル放送受信装置は、フロントエンド部、多重分離部および選局制御部をそれぞれ２つずつ備えている。
【００７４】
図８は、実施の形態２に係るデジタル放送受信装置の機能構成を示すブロック図である。
【００７５】
図８に示すデジタル放送受信装置４０００は、地上波デジタル放送あるいはＢＳデジタル放送を受信する。デジタル放送受信装置４０００は、アンテナ４００１と、第１フロントエンド部４００２と、第１多重分離部４００３と、映像デコーダ４００４と、音声デコーダ４００５と、第２フロントエンド部４００６と、第２多重分離部４００７と、データ放送蓄積部４００８と、データ放送レンダリング部４００９と、映像合成部４０１０と、第１選局制御部４０１１と、第２選局制御部４０１２と、複数選局対応システム制御部４０１３と、動作入力部１０１３と、映像出力部４０１５と、音声出力部４０１６とを備える。
【００７６】
アンテナ４００１は、地上波デジタル放送あるいはＢＳデジタル放送等の電波を受信する受信アンテナである。
【００７７】
第１フロントエンド部４００２は、アンテナ４００１が受信した電波から、特定の周波数帯域の電波を抽出および復調し、その電波を複数のデータが多重化されたトランスポートストリームパケットからなるトランスポートストリームに変換する。つまり、第１フロントエンド部４００２は、放送波の所定のチャンネルを選択し、所定のチャンネルの電波内のトランスポートストリームを抽出する。
【００７８】
第１多重分離部４００３は、第１フロントエンド部４００２により出力されたトランスポートストリームに含まれるデータを分離する。具体的には、第１多重分離部４００３は、各トランスポートストリームパケットに含まれる符号化された映像データ、符号化された音声データ、およびデータ放送データを分離する。実施の形態２においては、第１多重分離部４００３は、視聴を目的とした映像データおよび音声データからなるトランスポートストリームパケットを出力する。
【００７９】
映像デコーダ４００４は、ＭＰＥＧ２やＨ．２６４等に準拠して、第１多重分離部４００３で分離された符号化された映像データを復号し、映像データを生成する。
【００８０】
音声デコーダ４００５は、ＭＰＥＧ２−ＡＡＣ等に準拠して、第１多重分離部４００３で分離された符号化された音声データを復号し、音声データを生成する。
【００８１】
第２フロントエンド部４００６は、アンテナ４００１が受信した電波から、特定の周波数帯域の電波を抽出および復調し、その電波を複数のデータが多重化されたトランスポートストリームパケットからなるトランスポートストリームに変換する。つまり、第２フロントエンド部４００６は、放送波の所定のチャンネルを選択し、所定のチャンネルの電波内のトランスポートストリームを抽出する。
【００８２】
第２多重分離部４００７は、第２フロントエンド部４００６により出力されたトランスポートストリームに含まれるデータを分離する。具体的には、第２多重分離部４００７は、各トランスポートストリームパケットに含まれる符号化された映像データ、符号化された音声データ、およびデータ放送データを分離する。実施の形態２においては、第２多重分離部４００７は、データ放送利用を目的としたデータ放送データからなるトランスポートストリームを出力する。
【００８３】
データ放送蓄積部４００８は、トランスポートストリームパケット内のカルーセル伝送されるデータ放送データを蓄積する。また、データ放送蓄積部４００８は、放送波のチャンネル毎に、個別にデータ放送データを蓄積する領域を有し、後述する複数選局対応システム制御部４０１３からの指示により、個別のデータ放送データをデータ放送レンダリング部４００９に送出する。
【００８４】
データ放送レンダリング部４００９は、データ放送データ内の記法に基づき、データ放送蓄積部４００８より送出されたデータ放送データを解読し、データ放送データの表示用の画像データを生成する。例えば、データ放送レンダリング部４００９は、ＢＭＬ等で記述されたハイパーテキスト形式のデータ放送データを解読し、データ放送データの画像データを生成する。
【００８５】
映像合成部４０１０は、映像デコーダ４００４で生成された映像データと、データ放送レンダリング部４００９で生成されたデータ放送データの画像データとを合成、またはいずれか１つのデータを選択し、合成後のデータまたは選択されたデータを映像出力部４０１５に出力する。
【００８６】
第１選局制御部４０１１は、複数選局対応システム制御部４０１３より選局するチャンネルの指示を受け、第１フロントエンド部４００２に対して選局指示を行う。これにより、第１フロントエンド部４００２は、指示されたチャンネルの電波を抽出および復調し、トランスポートストリームに変換することができる。
【００８７】
第２選局制御部４０１２は、複数選局対応システム制御部４０１３より選局するチャンネルの指示を受け、第２フロントエンド部４００６に対して選局指示を行う。これにより、第２フロントエンド部４００６は、指示されたチャンネルの電波を抽出および復調し、トランスポートストリームに変換することができる。
【００８８】
複数選局対応システム制御部４０１３は、動作入力部４０１４からの操作指示に基づき、テレビ視聴に係る選局制御を行う。また、複数選局対応システム制御部４０１３は、第２選局制御部４０１２をデータ放送蓄積部４００８に対するデータ放送データ蓄積目的で制御する。また、複数選局対応システム制御部４０１３は、テレビ視聴時のデータ放送レンダリング部４００９の起動および終了を制御し、データ放送レンダリング部４００９で利用されるデータ放送データの送出をデータ放送蓄積部４００８に指示する。
【００８９】
動作入力部４０１４は、デジタル放送受信装置４０００を操作するための操作スイッチ（図示せず）などの押下情報を複数選局対応システム制御部４０１３に通知する。デジタル放送受信装置４０００の操作は、操作スイッチによる操作以外にも、赤外線リモコン受光による操作指示の受け取りや、他のコントロール回路からの電気信号による操作指示の受け取りにより行われてもよい。
【００９０】
映像出力部４０１５は、表示パネル等へ映像を出力する処理部である。映像出力部４０１５は、コンポーネント端子やＨＤＭＩ端子等の外部出力端子、または表示パネルとの専用インターフェースにより、表示パネル等に接続される。
【００９１】
音声出力部４０１６は、スピーカー等へ音声を出力する処理部である。音声出力部４０１６は、アナログ音声出力端子、光デジタル端子、コアキシャル端子、またはＨＤＭＩ端子から音声を出力したり、内蔵アンプ回路等を経由して内蔵スピーカー装置に直接音声を出力したりする。
【００９２】
以上の構成により、デジタル放送受信装置４０００は、各チャンネルのデータ放送を受信し、データ放送蓄積部４００８に蓄積しておく事で、ある特定のデジタル放送チャンネルを視聴している状態で、他のチャンネルで放送されていたデジタル放送データを利用する事ができる。
【００９３】
次に、デジタル放送受信装置４０００の動作を説明する。
【００９４】
図９は、データ放送データをデータ放送蓄積部４００８に蓄積する処理の流れを示すフローチャートである。
【００９５】
ここでは、受信可能なデジタル放送チャンネルがチャンネルＡ、チャンネルＢおよびチャンネルＣの３つあるとする。
【００９６】
デジタル放送受信装置４０００は、各チャンネルのデータ放送データを蓄積する処理を、繰り返し実行する（Ｓ５００１）。
【００９７】
図３は、データ放送データ蓄積処理（図９のＳ５００１）の詳細な処理の流れを示すフローチャートである。
【００９８】
複数選局対応システム制御部４０１３は、データ放送データの蓄積を行うためのチャンネルの選定を行う（Ｓ７００１）。ここでは、データ放送蓄積部４００８内にデータ放送データが未蓄積のチャンネルを優先的に選定し、次に一番過去に蓄積が行われたデータ放送データのチャンネルを選定する。ここでは、チャンネルＡが選択されたとする。
【００９９】
次に、複数選局対応システム制御部４０１３は、第２選局制御部４０１２に対してチャンネルＡの選局指示を行い、データ放送蓄積部４００８に対してチャンネルＡのデータ放送データの蓄積開始を指示する。第２フロントエンド部４００６は、第２選局制御部４０１２からの選局指令を受けてアンテナ４００１からの電波を受信し、復調した上で多重化トランスポートストリームを、第２多重分離部４００７に出力する（Ｓ７００２）。
【０１００】
第２多重分離部４００７は、第２フロントエンド部４００６からの多重化トランスポートストリームを解析し、データ放送データを含むトランスポートストリームパケットをデータ放送蓄積部４００８に送出する。データ放送蓄積部４００８は、チャンネルＡに対応したデータ放送データを蓄積する（Ｓ７００３）。データ放送データ蓄積処理（Ｓ５００１）が繰り返し実行される。このため、チャンネルＡのデータ放送データが蓄積された後に、複数選局対応システム制御部４０１３は、チャンネルＢおよびチャンネルＣについても同様に選局および蓄積制御を行い、改めてチャンネルＡからデータ放送蓄積制御を繰り返し行う。
【０１０１】
次に、データ放送蓄積部４００８に蓄積されたデータ放送データを、テレビ視聴中に利用する処理について説明する。
【０１０２】
図１０は、データ放送蓄積部４００８に蓄積されたデータ放送データを、テレビ視聴中に利用する際の処理の流れを示すフローチャートである。
【０１０３】
ここでは、デジタル放送受信装置４０００に電源が投入されたところからの説明を行う。
【０１０４】
デジタル放送受信装置４０００に電源が投入されると、複数選局対応システム制御部４０１３は、第１選局制御部４０１１に対して、視聴するテレビ放送チャンネルの選局指令を行う。
【０１０５】
第１フロントエンド部４００２は、第１選局制御部４０１１からの選局指令を受けて、アンテナ４００１からの電波を受信し、復調した上で多重化トランスポートストリームを、第１多重分離部４００３に出力する。
【０１０６】
第１多重分離部４００３は、第１フロントエンド部４００２からの多重化トランスポートストリームを解析し、符号化された映像データおよび符号化された音声データを含むトランスポートストリームパケットを映像デコーダ４００４および音声デコーダ４００５に送出する。
【０１０７】
映像デコーダ４００４は、第１多重分離部４００３から出力されるトランスポートストリームパケットに含まれる符号化された映像データを復号し、出力する。
【０１０８】
音声デコーダ４００５は、第１多重分離部４００３から出力されるトランスポートストリームパケットに含まれる符号化された音声データを復号し、出力する。
【０１０９】
映像合成部４０１０は、データ放送レンダリング部４００９からのデータ放送データと映像デコーダ４００４からの映像データとの合成を行い、合成後のデータを映像出力部４０１５に出力する（Ｓ６００１）。なお、電源投入時には、データ放送が表示されないため、映像合成部４０１０から出力されるデータは、映像デコーダ４００４からの映像データと同じである。
【０１１０】
複数選局対応システム制御部４０１３は、動作入力部４０１４からの指示または複数選局対応システム制御部４０１３の内部の状態によりデータ放送を表示するか否かを判断する（Ｓ６００２）。データ放送を表示する場合（Ｓ６００２でＹＥＳ）、複数選局対応システム制御部４０１３は、データ放送蓄積部４００８に対して、視聴中チャンネルのデータ放送データを出力するよう指示し、データ放送レンダリング部４００９の起動を行う。また、第２選局制御部４０１２に対して、視聴中チャンネルの選局指示を出す。例えば、図５のようにチャンネルＡの番組をユーザが視聴中に、ユーザが動作入力部４０１４からデータ放送の表示指示を行なうと、図６に示すように、チャンネルＡの番組（映像データ）と、チャンネルＡのデータ放送データとがテレビ画面上に表示される。
【０１１１】
次に、複数選局対応システム制御部４０１３は、動作入力部４０１４から、利用中のデータ放送チャンネルの変更の指示を受けた場合（Ｓ６００３でＹＥＳ）、複数選局対応システム制御部４０１３は、データ放送蓄積部４００８に対して、出力するデータ放送データのチャンネル変更指示を行う（Ｓ６００４）。データ放送蓄積部４００８は、指示されたチャンネルのデータ放送データを蓄積している場合、即座にそのデータ放送データをデータ放送レンダリング部４００９に送出する。指示されたチャンネルのデータ放送データが蓄積されていない場合には、第２多重分離部４００７から、そのチャンネルのデータ放送データを受け、蓄積する。データ放送蓄積部４００８は、既に蓄積した有効なデータ放送データまたは蓄積中のデータ放送データをデータ放送レンダリング部１００７に送信する。これにより、データ放送の更新が行なわれる。
【０１１２】
例えば、図６に示す状態から、データ放送データの出力データをチャンネルＢに変更する指示が行なわれると、図７に示すように、チャンネルＡの番組（映像データ）と、チャンネルＢのデータ放送データとがテレビ画面上に表示されることとなる。
【０１１３】
なお、本実施の形態では、視聴中の番組のチャンネルを固定し、データ放送データのチャンネルを変化させる例について説明したが、視聴中の番組のチャンネルを変化させ、データ放送データのチャンネルを固定するものであってもよい。
【０１１４】
以上説明したように、本実施の形態によると、全てのチャンネルのデータ放送データをデータ放送蓄積部４００８に予め蓄積している。このため、映像・音声コンテンツ視聴チャンネルを変えることなくデータ放送コンテンツ利用チャンネルを変更したり、あるいはデータ放送コンテンツ利用チャンネルを変えることなく映像・音声コンテンツ視聴チャンネルを変更したりすることができる。
【０１１５】
以上、本発明について、上述の実施の形態１および２に基づいて説明したが、本発明は、上述の実施の形態１および２に限定されるものではない。
【０１１６】
例えば、テレビ視聴中にデータ放送チャンネルを切り替える事を実現するだけでなく、データ放送蓄積部に蓄積された各チャンネルのデータ放送データを一画面に並べて表示することにより、データ放送の閲覧性を高めることができる。図１１に、チャンネルＡ〜Ｃの３つのチャンネルのデータ放送データを一画面に並べて表示した例を示す。
【０１１７】
また、データ放送蓄積部にデータ放送データを蓄積する際に、一番過去に更新されたデータ放送データに対応するチャンネルのデータ放送データから優先的に蓄積するのではなく、ユーザが事前指定したチャンネルのデータ放送データを優先的に蓄積するようにしてもよい。
【０１１８】
また、実施の形態２では、データ放送蓄積部４００８の蓄積領域を１チャンネル分にし、データ放送のチャンネルが切り替えられる度に、第２選局制御部４０１２に対して選局指示を出し、その都度、その時点におけるデータ放送データをデータ放送レンダリング部４００９に送出するようにしてもよい。これにより、データ放送データが表示されるまでに時間を要するが、データ放送蓄積部４００８の容量を小さく抑えることができる。
【０１１９】
また、実施の形態２では、第１フロントエンド部４００２と第１多重分離部４００３とは、映像・音声視聴を目的として使用され、第２フロントエンド部４００６と第２多重分離部４００７はデータ放送受信を目的として使用されるものとして説明を行なったが、これに限定されるものではない。例えば、第１多重分離部４００３と第２多重分離部４００７から、映像デコーダ４００４および音声デコーダ４００５とデータ放送蓄積部４００８とへの接続をクロスバースイッチ構成とする事で、第２フロントエンド部４００６と第２多重分離部４００７を映像・音声視聴を目的として使用し、第１フロントエンド部４００２と第１多重分離部４００３をデータ放送受信を目的として使用する事ができる。
【０１２０】
また、実施の形態２では、データ放送蓄積部４００８に対する多重分離部からのデータ放送トランスポートストリームパケットの入力系統数を複数化してもよい。つまり、第１多重分離部４００３および第２多重分離部４００７が、それぞれデータ放送蓄積部４００８に接続されていてもよい。このような構成により、デジタル放送受信装置のフロントエンド部および多重分離部が複数系統使用されていない時には、複数のフロントエンド部と複数の多重分離部とを並列してデータ放送受信のために動作させる事で、放送されている全てのデータ放送データの取り込みの完了までの時間を短縮する事ができる。
【０１２１】
また、例えば衛星波デジタル放送と地上波デジタル放送の両方に対応したデジタル放送受信装置において、多重分離部を複数系統化してもよい。つまり、第１多重分離部４００３および第２多重分離部４００７のそれぞれが、映像デコーダ４００４、音声デコーダ４００５およびデータ放送蓄積部４００８に接続されていてもよい。このような構成により、地上波デジタル放送受信中に衛星波デジタル放送のデータ放送をデータ放送蓄積部４００８に取り込んだり、または衛星波デジタル放送受信中に地上波デジタル放送のデータ放送をデータ放送蓄積部４００８に取り込んだりする事もできる。
【０１２２】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１２３】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１２４】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１２５】
また、本発明は、上記に示す方法であるとしても良い。また、これらの方法をコンピュータにより実現するコンピュータプログラムであるとしても良いし、前記コンピュータプログラムからなるデジタル信号であるとしても良い。
【０１２６】
さらに、本発明は、上記コンピュータプログラムまたは上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの記録媒体に記録されている上記デジタル信号であるとしても良い。
【０１２７】
また、本発明は、上記コンピュータプログラムまたは上記デジタル信号を、電気通信回線、無線または有線通信回線、インターネットを代表とするネットワーク、データ放送等を経由して伝送するものとしても良い。
【０１２８】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１２９】
また、上記プログラムまたは上記デジタル信号を上記記録媒体に記録して移送することにより、または上記プログラムまたは上記デジタル信号を上記ネットワーク等を経由して移送することにより、独立した他のコンピュータシステムにより実施するとしても良い。
【０１３０】
さらに、上記実施の形態および上記変形例をそれぞれ組み合わせるとしても良い。
【０１３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１３２】
本発明は、地上波デジタル放送および衛星波デジタル放送等のデジタル放送受信装置に適用できる。特に、家庭用テレビ、ビデオレコーダ、セットトップボックス、車載テレビ、携帯用テレビ、カーナビゲーションシステム、パーソナルコンピュータ、携帯情報端末、携帯電話機器等のデジタル放送受信装置に適用できる。
【図面の簡単な説明】
【０１３３】
【図１】本発明の実施の形態１に係るデジタル放送受信装置の機能構成を示すブロック図
【図２】本発明の実施の形態１に係るデジタル放送受信時のデータ放送取り込みに関するフローチャート
【図３】本発明の実施の形態１および２に係るデータ放送データ蓄積処理の詳細を示すフローチャート
【図４】本発明の実施の形態１に係るデジタル放送受信時にデータ放送を利用する処理のフローチャート
【図５】本発明の実施の形態１および２に係るテレビ画面の一例を示す図
【図６】本発明の実施の形態１および２に係るテレビ画面の一例を示す図
【図７】本発明の実施の形態１および２に係るテレビ画面の一例を示す図
【図８】本発明の実施の形態２に係るデジタル放送受信装置の機能構成を示すブロック図
【図９】本発明の実施の形態２に係るデジタル放送受信時のデータ放送取り込みに関するフローチャート
【図１０】本発明の実施の形態２に係るデジタル放送受信時にデータ放送を利用する処理のフローチャート
【図１１】本発明の実施の形態の変形例に係るテレビ画面の一例を示す図
【符号の説明】
【０１３４】
１０００、４０００  デジタル放送受信装置
１００１、４００１  アンテナ
１００２  フロントエンド部
１００３  多重分離部
１００４、４００４  映像デコーダ
１００５、４００５  音声デコーダ
１００６、４００８  データ放送蓄積部
１００７、４００９  データ放送レンダリング部
１００８、４０１０  映像合成部
１００９  選局制御部
１０１０  ＣＭ検出部
１０１１  データ放送蓄積制御対応システム制御部
１０１２  状態管理部
１０１３、４０１４  動作入力部
１０１４、４０１５  映像出力部
１０１５、４０１６  音声出力部
４００２  第１フロントエンド部
４００３  第１多重分離部
４００６  第２フロントエンド部
４００７  第２多重分離部
４０１１  第１選局制御部
４０１２  第２選局制御部
４０１３  複数選局対応システム制御部
【図１】
2010206418.tif 000003
【図２】
2010206418.tif 000004
【図３】
2010206418.tif 000005
【図４】
2010206418.tif 000006
【図５】
2010206418.tif 000007
【図６】
2010206418.tif 000008
【図７】
2010206418.tif 000009
【図８】
2010206418.tif 000010
【図９】
2010206418.tif 000011
【図１０】
2010206418.tif 000012
【図１１】
2010206418.tif 000013